(57)【要約】      （修正有）【課題】より簡単な機構で確実に炉床部材と台車台部との所定空間（隙間）を封止でき、さらに設備費及び維持費用の低減できる封止手段を有する台車式加熱炉を提供する。【解決手段】台車式加熱炉１は、台車の台部５に対向する炉床部材４の端部は、台部の対向端部と実質的に同一下面となる当接面を持つとともに、さらに、炉床部材と台車台部の両端部の下面と当接して所定空間（隙間）ａを封止するシール体と、このシール体を上下自在に支持する支持手段と、シール体を押圧して上昇させる押圧バネ８と、押圧バネの付勢力によりシール体を上昇して所定空間を封止し、また、押圧バネの付勢力に抗してシール体を下降させて所定空間を開放する開閉手段と、を有する封止手段６を有することを特徴とする。【選択図】図１
2004293927.tif 000002
【特許請求の範囲】
【請求項１】
上方に加熱室と該加熱室の下方に台車導入室とを持ち、該加熱室と該台車導入室とが導入された該台車の台部と該台部の両側に所定空間を隔てて対向する炉床部材とで区画される台車式加熱炉であって、
前記台車の前記台部に対向する前記炉床部材の端部は、前記台部の対向端部と実質的に同一下面となる当接面を持つとともに、さらに、該炉床部材および該台部の両該端部の該下面と当接し該所定空間を封止するシール体と、
該シール体を上下自在に支持する支持手段と、
該シール体を押圧して上昇させる押圧バネと、
該押圧バネの付勢力により該シール体を上昇して該所定空間を封止し、また、該押圧バネの付勢力に抗して該シール体を下降させて該所定空間を開放する開閉手段と、
を有する封止手段を有することを特徴とする台車式加熱炉。
【発明の詳細な説明】
【０００１】
【発明の属する技術分野】
本発明は台車式加熱炉に関する。さらに詳しくは、台車の台部と炉床部材との間に生じた隙間を封止する封止手段を有する台車式加熱炉に関する。
【０００２】
【従来の技術】
台車を用いて被加熱物を炉内に装入して熱処理などを行う加熱炉は、台車がスムーズに出入りできるように台車の左右外縁と炉床の左右の内縁との間に所定の空間（以後、隙間と称する）が設けられている。このため、この隙間から熱気が炉外へ逃げてしまい、炉内温度の低下を招くとともに、燃焼効率をも低下させる。特に外気の侵入による隙間近傍の炉内温度低下は被加熱物の品質バラツキの要因となり、炉内の加熱雰囲気が窒素雰囲気のような場合には外気の侵入により炉内雰囲気を乱すという問題が生じる。さらに、炉内の高温に台車の下部構造が晒されることによる構造部材の溶損などを発生させるという問題もある。
【０００３】
このため炉床部材の内縁と台車の台部外縁との間にできた隙間を封止するシール方法について多くの提案がなされている。例えば、炉床の左右内縁と台車の左右外縁の下方にそれぞれシール縁を形成し、このシール縁の外側に回転軸を中心として反転しかつシール縁の下端に接することのできる遮蔽板を取り付け、シリンダを作動させることによりこの遮蔽板を反転して炉床と台車との隙間を封止するようにした台車式加熱炉が開示されている（特許文献１参照）。
【０００４】
図６に上記の従来技術になる台車式加熱炉を示す。なお、図６は左右対称であるので図の左側についてのみ説明する。加熱炉は側壁３２と天壁３１及び炉床３３からなり、この炉床３３は中央が開放されていてこの開放部にレール３６に車輪３５を介して乗った台車３４が出入り自在である。
【０００５】
３３’は前記炉床３３の開放した部分の左右の内縁から下方に突出するようにして取り付けられたシール縁、３４’は前記台車３４の左右外縁から下方に突出し、かつ前記シール縁３３’の下端と同一平面上にある台車３４側のシール縁である。
【０００６】
３７は前記シール縁３３’、３４’に下方から反転して接し、シール縁３３’、３４’間の間隙ａを封止することのできる遮蔽板であり、この遮蔽板３７は回転軸３８により支持されている。４３はシリンダ４１のロッド４２の運動を前記回転軸３８に伝達するためのリンク板である。
【０００７】
次に、上記加熱炉の作用を説明する。
【０００８】
被加熱物を載置した台車３４が炉内に入るときは、シリンダ４１を作動させて遮蔽板３７を開放しておく（逃がしておく）。台車３４が炉内に入ったら、炉の前扉を閉じ、あるいは閉じる前にシリンダ４１を作動させて遮蔽板３７を反転させてシール縁３３’、３４’に下方から圧接し、間隙ａを封止し、この状態で加熱処理を行う。
【０００９】
加熱処理を終了したら前扉を開け、かつシリンダ４１を作動させて遮蔽板３７を開放して（逃がし）、台車３４を炉外へ出す。
【００１０】
しかし、この封止方法は、多数のシリンダを必要とするために機構が複雑であり、また、製作費用が高価となる、といった問題があり必ずしも満足できるものではなかった。
【００１１】
【特許文献１】
実開昭６２−３６０５６号公報
【００１２】
【発明が解決しようとする課題】
本発明の課題は、より簡単な機構で確実にシールでき、さらに設備費及び維持費用の低減できる封止手段を有する台車式加熱炉を提供することである。
【００１３】
【課題を解決するための手段】
本発明者らは上記の課題を解決するために、隙間をシールするシール体の押圧力として押圧バネの利用に着目した。
【００１４】
すなわち、本発明の台車式加熱炉は、上方に加熱室と該加熱室の下方に台車導入室とを持ち、該加熱室と該台車導入室とが導入された該台車の台部と該台部の両側に所定空間を隔てて対向する炉床部材とで区画される台車式加熱炉であって、
前記台車の前記台部に対向する前記炉床部材の端部は、前記台部の対向端部と実質的に同一下面となる当接面を持つとともに、さらに、該炉床部材および該台部の両該端部の該下面と当接し該所定空間を封止するシール体と、該シール体を上下自在に支持する支持手段と、該シール体を押圧して上昇させる押圧バネと、該押圧バネの付勢力により該シール体を上昇して該所定空間を封止し、また、該押圧バネの付勢力に抗して該シール体を下降させて該所定空間を開放する開閉手段と、を有する封止手段を有することを特徴とする。
【００１５】
【作用】
本発明の台車式加熱炉では、炉床部材の端部と台車台部の対向端部とが実質的に同一下面を形成するようになっているためシール体のシール面と密接に当接することができ隙間（所定空間）を確実に封止することができる。
【００１６】
また、シール体の上昇と隙間への押圧を押圧バネの付勢力によって実現しているのでシール体のシール面が隙間のシール面と均等に当接することができる。
【００１７】
従来技術になるシリンダによるシール体の押圧はシリンダを作動させる加圧装置系統の故障やシリンダそのものの故障などによってシール体の押圧力が解除される虞があるが、本発明は押圧バネの付勢力という極めて単純な機構で押圧しているのでこのような危険はない。
【００１８】
【実施例】
以下に、本発明に係わる台車式加熱炉の実施例を図１〜図５を参照して説明する。
【００１９】
図１は、本発明の実施の形態としての台車式加熱炉を開口部側から見た場合の左側の概要を示す側面模式図である。シール装置は左右の炉床の直下に配設されているが、図２は左側のシール装置の要部側面模式図であり、矢印Ｂ側は加熱炉の開口部（扉側）である。なお、右側は図１および図２と左右対称に構成され、動作も同じように説明できるので、その説明を省略する。
【００２０】
本発明の台車式加熱炉は、側壁２と天壁３および炉床部材４とからなる加熱炉本体１と、左右の炉床部材４の開放部に出入り自在の台車５と、炉床部材４の端縁４ａと台車５の台部端縁５ａとで形成される台車５の挿入方向に延伸している隙間ａを封止する封止手段６とから構成されている。加熱炉本体１と台車５の台部によって加熱室と台車導入室とを形成している。
【００２１】
封止手段６は隙間ａを封止するシール体７と、シール体７を上下自在に支持する支持手段と、シール体７を押圧して上昇させる押圧バネ８と、押圧バネ８の付勢力によりシール体７を上昇して隙間ａを封止し、また、押圧バネ８の付勢力に抗してシール体７を下降させて隙間ａを開放する開閉手段とからなる。
【００２２】
台車式加熱炉の封止手段部分を拡大して図３に示した。シール体７は、長手の溝型鋼を骨格材として構成され、そのウェブ部とフランジ部で囲まれる空間には、耐熱性を有し、かつ、弾性を有するセラミックファイバやグラスウールなどからなるシール材７ａが充填されている。そして、このシール面７ｂが隙間ａを形成する炉床部材４のシール縁４ａと台車５の台部シール縁５ａとに当接する。
【００２３】
シール縁４ａは、炉床部材４の端縁に溶着された台車の装入方向に延伸したＬ型鋼１（Ｌ１）と、Ｌ型鋼１の下面にこのＬ型鋼１に向背して、かつ炉床部材４の段部イに沿って溶着されているＬ型鋼２（Ｌ２）とで形成されている。また、シール縁５ａは炉床部材４の端縁に対向する台車５の台部端縁に溶着された台車装入方向に延伸したＬ型鋼３（Ｌ３）と、Ｌ型鋼３の下面にこのＬ型鋼３に向背して、かつ台車の段部ロに沿って溶着されているＬ型鋼４（Ｌ４）とで形成されている。ここで、炉床部材側のＬ型鋼２の水平面と台車台部側のＬ型鋼４の水平面とは実質的に同一平面上にあり、シール体７のシール面７ｂと当接して隙間ａを封止することができる。
【００２４】
シール体７は適宜箇所でシャフト９によって支承されており、各シャフト９は、上下自在に取付枠１０に固着されている嵌合部材１２に上下自在に挿入されている。また、各シャフト９の下端は連結部材１１に固着されており、連結部材１１を昇降することによりシール体７を長手方向で同時に昇降できるように構成されている。取付枠１０は炉壁２または基盤１７などと固着されている。なお、シャフト９，取付枠１０，連結部材１１などでシール体の支持手段を構成している。
【００２５】
シール体７を押圧して上昇させる押圧バネ８は、取付枠９に固着されているシャフト９との嵌合部材１２とシール体７との間に挿入されており、その付勢力によりシール体７を矢印Ａ方向に押し上げることができる。
【００２６】
シール体７を加熱炉炉本体１に取り付ける取付枠１０には、台車装入方向の適宜箇所に軸受け部１３が取り付けられ、軸受け部１３にロッド１４が回転自在に軸支されている。そして、ロッド１４の軸方向の適宜箇所に、先端にコロ１５を有するカム１６が連結部材１１に当接するように固着されている。ロッド１４は連結部材１１の上方に連結部材１１と平行に位置しているので、ロッド１４の回転に伴ってカム１６も回動して連結部材１１を上下することができる。この時コロ１５は連結部材１１の表面を回転しながら移動するので、連結部材１１を傷つけることなく、また、ロッド１４の回転操作をスムースに行うことができる。
【００２７】
また、ロッド１４は加熱炉本体１の基盤１７に固着された軸受け１８に軸支され、その先端は炉壁を貫通して炉外へ突出しており、把手１９により炉外から操作可能となっている。把手１９の近傍にはストッパ２０が設けられておりロッド１４の逆転を防止するようになっている。このように、ロッド１４，カム１６，把手１９などで開閉手段が構成されている。
【００２８】
以上のように構成される本発明の台車式加熱炉では、まず加熱炉本体１に台車５を装入して加熱を行うときには、ロッド１４の把手１９を回動してカム１６の長径が図３のように連結部材１１に対して垂直となるようにして、シール体７を下降させ隙間を開放しておく。
【００２９】
次に、台車５を炉内に装入したら炉の前扉を閉じてロッド１４の把手１９を回動してカム１６の長径が図４のように連結部材１１に平行となるように回転させる。カム１６の回転により、シャフト９および連結部材１１を介して圧縮されていた押圧バネ８は、付勢力によって伸長すると同時にシール体７を押圧して上昇させる。その結果、炉床部材４のシール縁４ａ、および台車５台部のシール縁５ａにシール体７のシール面７ｂが当接され、隙間ａが封止される。ここで、シール体７のシール面７ｂは弾力性を有するシール材７ａによって構成されているため、シール縁４ａおよび５ａがシール材７ａの内部に食い込み、隙間ａのシールがより完全となる。以後、隙間ａをシールした状態で被加熱材の加熱処理が進行する。
【００３０】
被加熱材の加熱処理が終了し、加熱炉本体１から台車５を搬出するときには、ロッド１４の把手１９を回動してカム１６の長径が図３のように連結部材１１に垂直となるようにする。カム１６の回動によって、連結部材１１と固着しているシャフト９が押圧バネ８の付勢力に抗して下降するので一体的に形成されているシール体７も下降して隙間ａとの当接が解除される。そして、押圧バネ８は圧縮される。
【００３１】
なお、本発明は上記の実施例に限定されるものではなく、本発明の主旨を逸脱しない範囲での各種の変形が可能であることは言うまでもない。
【００３２】
例えば、シール体７のシール面７ｂは平面に限定されるものではなく、シール面７ｂの隙間ａに対向する部分を頂点とする断面かまぼこ形状、あるいは二等辺三角形状などの凸形状であることも好ましい。
【００３３】
このようにシール体のシール面７ｂを凸形状とすることにより、より確実なシールを実現することができる。また、シール面上に落下した炉内のスケール等の異物が隙間ａを開放したときにシール面から容易に滑落して除去されることも期待できる。さらに、開放位置にあるシール体７にスケールなどの異物が落下した場合でも、シール面が傾斜しているので異物は容易に滑落し、シール面に堆積することが防止される。このようにして、シール面と隙間のシール縁との間に異物が介在することによる不完全なシールや、シール面を損傷するといった不都合を防止することができる。
【００３４】
また、本発明においては、ロッド１４の回転を把手１９を手動で回動することとしたが、把手１９にシリンダを取り付けてエア圧または油圧などで回動させることもできるし、あるいは電動モータの使用なども可能である。
【００３５】
【発明の効果】
本発明によれば、台車式加熱炉の加熱炉本体と台車の間に形成される隙間をシール体で封止・開放する駆動力として、押圧バネの付勢力を利用しているので、安価に製作することができる。また、機構が単純であるので故障等の不具合発生が少ない。従って、本発明は台車式加熱炉の製造コストと維持コストの低減に寄与すること大である。
【図面の簡単な説明】
【図１】本発明の台車式加熱炉の左半分の要部正面模式図である。
【図２】本発明の台車式加熱炉の封止手段を示す側面模式図である。
【図３】本発明の封止手段の隙間開放状態を説明する一部断面側面図である。
【図４】本発明の封止手段の隙間封止状態を説明する一部断面側面図である。
【図５】本発明の開閉手段の正面模式図である。
【図６】従来技術になるシール装置を有する台車式加熱炉の要部側面模式図である。
【符号の説明】
１：台車式加熱炉  ２：側壁  ３：天壁  ４：炉床  ５：台車  ６：封止手段  ７：シール体  ８：押圧バネ  ９：シャフト  １０：取付枠  １１：連結部材  １３：軸受け  １４：ロッド  １６：カム  １９：把手  ３０：従来技術の台車式加熱炉  ａ：隙間（所定空間）
【図１】
2004293927.tif 000003
【図２】
2004293927.tif 000004
【図３】
2004293927.tif 000005
【図４】
2004293927.tif 000006
【図５】
2004293927.tif 000007
【図６】
2004293927.tif 000008